(57)【要約】      （修正有）【課題】簡易に固定ができ、かつ、固定保持力を向上させることができる遮音カバーの固定構造を提供する。【解決手段】第一カバー部材の第一被係合部１３における第一先端被係合部１４とクリップ３０の第一係合部３２における第一基端係合片３３とが係合され、かつ、第一カバー部材の第一被係合部における第一基端被係合部と第二カバー部材の第二被係合部２３とが、クリップの第一係合部における第一先端係合片３４とクリップの第二係合部の第二先端係合片３７とにより圧縮された状態で挟持されている。【選択図】図４
0003226820.tif 000002
【実用新案登録請求の範囲】
【請求項１】
所定の第一方向に分割された第一カバー部材と第二カバー部材とを有し、三次元形状の
被遮音対象を収容する遮音カバーと、該被遮音対象が収容された状態で、該第一カバー部
材と該第二カバー部材とを固定するクリップと、を備える遮音カバーの固定構造であって
、
前記遮音カバーは、発泡体またはエラストマーで形成され、
前記第一カバー部材は、前記第一方向の一方側に膨出され、前記被遮音対象の一部が収容
される第一収容部と、該第一収容部の側部から該第一方向に直交する第二方向の一方に延
設される第一被係合部とを備え、
該第一被係合部は、延設先端側に配置され、該第一方向の一方側の端面が凸状とされる第
一先端被係合部と、延設基端側に配置され、該第一収容部の側部と該第一先端被係合部と
を接続する第一基端被係合部とを備え、
前記第二カバー部材は、前記第一方向の他方側に膨出され、前記被遮音対象の他部が収容
される第二収容部と、該第二収容部の側部から前記第二方向の一方に延設され、前記第一
カバー部材の前記第一被係合部に対向して配置される第二被係合部とを備え、
前記クリップは、前記第一方向に延在する基部と、該基部の該第一方向の一方の端部から
前記第二方向の他方に延設される第一係合部と、該基部の該第一方向の他方の端部から該
第二方向の他方に延設される第二係合部とを備え、
該第一係合部は、延設基端側に配置され、該第一方向の一方側に凸状とされる第一基端係
合片と、延設先端側に配置され、該第一基端係合片から該第二方向の他方に延設される第
一先端係合片とを備え、
前記遮音カバーの前記第一カバー部材の前記第一被係合部と前記第二カバー部材の前記第
二被係合部との対向面が重ね合わされた状態において、該第一カバー部材の該第一被係合
部における前記第一先端被係合部と前記クリップの前記第一係合部における前記第一基端
係合片とが係合され、かつ、該第一カバー部材の該第一被係合部における前記第一基端被
係合部と該第二カバー部材の該第二被係合部とが、該クリップの該第一係合部における前
記第一先端係合片と該クリップの前記第二係合部とにより圧縮された状態で挟持されてい
る、遮音カバーの固定構造。
【請求項２】
前記クリップの前記第一係合部における前記第一先端係合片は、前記第一方向の他方側の
端面が凸状とされている、請求項１に記載の遮音カバーの固定構造。
【請求項３】
前記第一カバー部材の前記第一被係合部における前記第一基端被係合部と前記第二カバー
部材の前記第二被係合部とが、前記クリップの前記第一係合部における前記第一先端係合
片と該クリップの前記第二係合部とにより、１ｍｍ〜６ｍｍ圧縮された状態で挟持されて
いる、請求項１又は２の何れかに記載の遮音カバーの固定構造。
【請求項４】
前記第一カバー部材の前記第一被係合部における前記第一先端被係合部の前記凸状の高
さは、前記クリップの前記第一係合部における前記第一先端係合片による該第一カバー部
材の該第一被係合部における前記第一基端被係合部に対する圧縮量以上に設定されている
、請求項１−３の何れか１項に記載の遮音カバーの固定構造。
【請求項５】
前記第一カバー部材の前記第一被係合部には、前記第一方向及び前記第二方向に直交する
第三方向の両端部から該第二方向の一方側に突出される一対の第一凸部が設けられ、
前記クリップの前記基部は、前記第一カバー部材の前記第一被係合部における前記一対の
第一凸部の間に配置されている、請求項１−４の何れか１項に記載の遮音カバーの固定構
造。
【請求項６】
前記第二カバー部材の前記第二被係合部には、前記第一方向及び前記第二方向に直交する
第三方向の両端部から該第二方向の一方側に突出される一対の第二凸部が設けられ、
前記クリップの前記基部は、前記第二カバー部材の前記第二被係合部における前記一対の
第二凸部の間に配置されている、請求項１−５の何れか１項に記載の遮音カバーの固定構
造。
【請求項７】
前記第二カバー部材の前記第二被係合部は、延設先端側に配置され、前記第一方向の他
方側の端面が凸状とされる第二先端被係合部と、延設基端側に配置され、前記第二収容部
の側部と該第二先端被係合部とを接続する第二基端被係合部とを備え、
前記クリップの前記第二係合部は、延設基端側に配置され、前記第一方向の他方側に凸状
とされる第二基端係合片と、延設先端側に配置され、該第二基端係合片から前記第二方向
の他方に延設される第二先端係合片とを備え、
前記遮音カバーの前記第一カバー部材の前記第一被係合部と前記第二カバー部材の前記第
二被係合部との対向面が重ね合わされた状態において、該第一カバー部材の該第一被係合
部における前記第一先端被係合部と前記クリップの前記第一係合部における前記第一基端
係合片とが係合されると共に、該第二カバー部材の該第二被係合部における前記第二先端
被係合部と該クリップの前記第二係合部における前記第二基端係合片とが係合され、かつ
、該第一カバー部材の該第一被係合部における前記第一基端被係合部と該第二カバー部材
の該第二被係合部における前記第二基端被係合部とが、該クリップの該第一係合部におけ
る前記第一先端係合片と該クリップの該第二係合部における前記第二先端係合片とにより
圧縮された状態で挟持されている、請求項１−６の何れか１項に記載の遮音カバーの固定
構造。
【請求項８】
前記第一カバー部材は、前記第一収容部の前記側部から延設される複数の前記第一被係
合部を備え、
前記第二カバー部材は、前記第二収容部の前記側部から延設され、前記第一カバー部材の
前記複数の第一被係合定部に対向して配置される複数の前記第二被係合部を備え、
複数の前記クリップが、前記第一カバー部材の前記複数の第一被係合部と前記第二カバー
部材の前記複数の第二被係合部とが重ね合わさせる箇所にそれぞれ固定されている、請求
項１−７の何れか１項に記載の遮音カバーの固定構造。
【考案の詳細な説明】
【技術分野】
【０００１】
本考案は、エンジン、インテークマニホールド、エアーコンプレッサ等、振動や音の
発生源となり、かつ、三次元形状をなす被遮音対象に対して遮音カバーを固定する固定構
造に関する。
【背景技術】
【０００２】
近年、自動車の動力のハイブリッド化や電動化が進む一方、車室内の静寂性の要求レベ
ルが高まり、振動や音の発生源となるモーター、エンジン等の発生源全体を遮音カバーで
覆うことで、遮音性を高める構造が採用されている。これらの発生源は他の構成体と連接
されるなど、構造が複雑な３次元形状であるため、遮音カバーで発生源全体を覆うために
は、遮音カバーを複数の部品に分割し、現場で組み付ける必要がある。例えば特許文献１
には、自動車部品の外側に配した遮音材を、一対のカバ一体で囲繞し、両力バ一体の合わ
せフランジ部同士を雄・雌形状の嵌合自在なフランジ部とし且つこの嵌合した合わせフラ
ンジ部の長手方向の複数個所を略Ｕ字形状の金属製クリップで強圧・挟持自在とした自動
車部品の遮音構造が開示されている。また、特許文献２には、内燃機関のシリンダヘッド
と被いカバーの隣接域間に密閉体を設け、シリンダヘッドと被いカバーとを保持部材とし
てのばねクリップを用いて固定保持させる固定装置が開示されている。
【先行技術文献】
【特許文献】
【０００３】
【特許文献１】実開昭５８−１７３５１５号公報
【特許文献２】特開昭６１−２７５５４８号公報
【考案の概要】
【考案が解決しようとする課題】
【０００４】
上記特許文献１の遮音構造は、遮音材を囲繞するカバー対同士を金属製クリップで固定す
る構造であり、また、上記特許文献２の固定装置は、被いカバーとして、プラスチック、
マグネシウム、薄い鋼板など硬質の部材に好適に用いられる構造であり、このようなクリ
ップによる固定構造を、発泡体やエラストマー等、柔軟な素材で形成された遮音材同士の
固定に適用する場合は、固定後のクリップ外れの防止の観点で改良の余地がある。
【０００５】
そこで、本考案は、振動や音の発生源となる被遮音対象に対して発泡体やエラストマー
で形成された遮音カバーを簡易に固定ができ、かつ、固定保持力を向上させることができ
る遮音カバーの固定構造を提供することを目的としたものである。
【課題を解決するための手段】
【０００６】
本考案に係る遮音カバーの固定構造は、所定の第一方向に分割された第一カバー部材と
第二カバー部材とを有し、三次元形状の被遮音対象を収容する遮音カバーと、該被遮音対
象が収容された状態で、該第一カバー部材と該第二カバー部材とを固定するクリップと、
を備え、（ａ）前記遮音カバーは、発泡体またはエラストマーで形成され、（ｂ）前記第
一カバー部材は、前記第一方向の一方側に膨出され、前記被遮音対象の一部が収容される
第一収容部と、該第一収容部の側部から該第一方向に直交する第二方向の一方に延設され
る第一被係合部とを備え、該第一被係合部は、延設先端側に配置され、該第一方向の一方
側の端面が凸状とされる第一先端被係合部と、延設基端側に配置され、該第一収容部の側
部と該第一先端被係合部とを接続する第一基端被係合部とを備え、（ｃ）前記第二カバー
部材は、前記第一方向の他方側に膨出され、前記被遮音対象の他部が収容される第二収容
部と、該第二収容部の側部から前記第二方向の一方に延設され、前記第一カバー部材の前
記第一被係合部に対向して配置される第二被係合部とを備え、（ｄ）前記クリップは、前
記第一方向に延在する基部と、該基部の該第一方向の一方の端部から前記第二方向の他方
に延設される第一係合部と、該基部の該第一方向の他方の端部から該第二方向の他方に延
設される第二係合部とを備え、該第一係合部は、延設基端側に配置され、該第一方向の一
方側に凸状とされる第一基端係合片と、延設先端側に配置され、該第一基端係合片から該
第二方向の他方に延設される第一先端係合片とを備え、（ｅ）前記遮音カバーの前記第一
カバー部材の前記第一被係合部と前記第二カバー部材の前記第二被係合部との対向面が重
ね合わされた状態において、該第一カバー部材の該第一被係合部における前記第一先端被
係合部と前記クリップの前記第一係合部における前記第一基端係合片とが係合され、かつ
、該第一カバー部材の該第一被係合部における前記第一基端被係合部と該第二カバー部材
の該第二被係合部とが、該クリップの該第一係合部における前記第一先端係合片と該クリ
ップの前記第二係合部とにより圧縮された状態で挟持されている。
【考案の効果】
【０００７】
本考案に係る遮音カバーの固定構造によれば、遮音カバーの第一カバー部材の第一被係合
部と、第二カバー部材の第二被係合部との対向面が重ね合わされた状態において、当該重
ね合せ箇所にクリップを押し込むという簡易な方法で遮音カバーを固定することができる
。
【０００８】
クリップが固定された状態において、第一カバー部材の第一被係合部における第一基端被
係合部と第二カバー部材の第二被係合部とが、クリップの第一係合部における第一先端係
合片とクリップの第二係合部とにより圧縮状態で挟持されている。よって、第一カバー部
材の第一被係合部における第一基端被係合部と第二カバー部材の第二被係合部とによる弾
性復元力により、クリップの第一係合部における第一先端係合片とクリップの第二係合部
に対して上下方向の保持力が付与されるため、クリップに対して、押込み方向とは反対方
向の引き抜け力が生じた場合、一定の抵抗力を付与することができる。
【０００９】
また、第一カバー部材の第一被係合部における第一先端被係合部とクリップの第一係合部
における第一基端係合片とが係合されることにより、クリップの第一係合部における第一
先端係合片が、第一カバー部材の第一被係合部における凸状の第一先端被係合部の基部に
配置されるため、クリップに対して、押込み方向とは反対方向の引き抜け力が生じた場合
、クリップの第一係合部の第一先端係合片における第一基端係合片との接続端が、発泡体
またはエラストマーで形成される第一カバー部材の第一被係合部における第一先端被係合
部の凸状部の側部を引き抜け力方向に圧縮させるため、クリップの第一係合部における第
一先端係合片が、第一カバー部材の第一被係合部における第一先端被係合部を乗り越えて
外れることを防止できる。
【図面の簡単な説明】
【００１０】
【図１】遮音カバーがクリップで固定された固定構造の斜視図である。
【図２】遮音カバーの第二カバー部材にモーターが収容された状態の斜視図である。
【図３】遮音カバーがクリップで固定された固定構造の平面図である。
【図４】図３のＡ−Ａ断面図である。
【図５】図４の第一カバー部材のクリップ固定部の一部拡大図である。
【考案を実施するための形態】
【００１１】
第一例の遮音カバーの固定構造について、図１−図３を参照して説明する。
以下の説明において、図１に示す上下方向を第一方向、左右方向を第二方向、前後方向を
第三方向とする。
図１、２に示すように、固定構造１００では、被遮音対象であるモーター４０が、上下方
向に分割された遮音カバー１に収容されている。
また、図１、３に示すように、遮音カバー１は、４つのクリップ３０、３０、３０、３０
により固定されている。
なお、モーター４０の配線ケーブル（不図示）は、遮音カバー１に形成された貫通孔（
不図示）を介して配設される。
【００１２】
遮音カバー１は、第一カバー部材１０と、第二カバー部材２０とかならなる。第一カバー
部材１０と、第二カバー部材２０は、ポリウレタン材料を金型内で発泡成形することによ
って成形されている。
なお、ポリウレタンに限らず、ポリスチレン、ポリオレフィン、ポリブタジエン系、ポリ
プロピレンなどの他の発泡体や、スチレン系、オレフィン系、ポリエステル系、ポリアミ
ド系、ウレタン系などのエラストマーで成形してもよい。
【００１３】
第一カバー部材１０は、モーター４０の略上半部が収容される内部空間を有する。この内
部空間は、モーター４０の外部形状に適合するように第一カバー部材１０の上面が上方向
（第一方向の一方側）に膨出されることによって形成される三次元の空間であり、第一収
容部１２を構成する。
本実施形態では、第一カバー部材１０は、略円柱形状のモーター４０の外形に対応して、
２つの底面が閉塞された略半円筒形状とされ、第一収容部１２は、モーター４０の略上半
分となる略半円柱形状に対応する内部空間とされている。
なお、第一カバー部材１０（第一収容部１２）の下端面は平面とされ、第二カバー部材２
０が重ね合わされた際の当接面とされる。
【００１４】
第一収容部１２には、左右方向（第二方向）に対向する両側部から、それぞれ２つの第一
被係合部１３、１３が延設されている。
本実施形態では、第一収容部１２の側部は、左右方向（第二方向）の断面視において湾曲
状の段差部とされ、この段差部の基端側から４つの第一被係合部１３、１３、１３、１３
がそれぞれ延設されている。
また、４つの第一被係合部１３、１３、１３、１３は、上下方向（第一方向）に所定の厚
みを有し、前後方向（第三方向）に所定の幅を持って、第一収容部１２の下端面と面一と
なるように、第一収容部１２と一体成形されている。
【００１５】
一つの第一被係合部１３の具体的な形状について、図４を用いて説明する。なお、他の第
一被係合部１３、１３、１３についても、同様の形状である。
図４に示すように、第一被係合部１３は、左右方向（第二方向）の断面視において、延設
先端側が、第一先端被係合部１４を構成する。第一先端被係合部１４の上面は上方向（第
一方向の一方）に凸となる凸形状とされている。
なお、本実施形態では、左右方向（第二方向）の断面視において、第一先端被係合部１４
の右方向の端面は、成形型の抜きテーパーに対応して、その上端が下端に対して僅かに左
側に位置するテーパー形状とされている。
【００１６】
また、第一収容部１２の側部と第一先端被係合部１４とを接続する部分が、第一基端被係
合部１５とされる。具体的には、凸形状の第一先端被係合部１４の基部から左方向に略水
平に延設された部分が第一基端被係合部１５を構成する。
なお、第一被係合部１３の下端面は、第一収容部１２の下端面と面一とされ、第二カバー
部材２０が重ね合わされた際の当接面とされる。
【００１７】
また、第一被係合部１３の前後方向（第三方向）の両端部には、右方向（第二方向の一
方）に突出する一対の第一凸部１６、１６が設けられている。
一対の第一凸部１６、１６は、上下方向（第一方向）に所定の厚みを有し、前後方向（第
三方向）に所定の幅を持って、第一被係合部１３の下端面と面一となるように、第一被係
合部１３と一体成形されている。
なお、本実施形態では、一対の第一凸部１６、１６の上下方向の厚みは、第一被係合部
１３の上下方向の厚みと略同一とされ、右方向の端面は湾曲形状とれている。
【００１８】
第二カバー部材２０は、モーター４０の略下半部が収容される内部空間を有する。この内
部空間は、モーター４０の外部形状に適合するように第二カバー部材１０の下面が下方向
（第一方向の他方側）に膨出されることによって形成される三次元の空間であり、第二収
容部２２を構成する。
本実施形態では、第二カバー部材２０は、略円柱形状のモーター４０の外形に対応して、
２つの底面が閉塞された略半円筒形状とされ、第二収容部２２は、モーター４０の略下半
分となる略半円柱形状に対応する内部空間とされている。
なお、第二カバー部材２０（第二収容部２２）の上端面は平面とされ、第一カバー部材１
０が重ね合わされた際の当接面とされる。
【００１９】
第二収容部２２には、左右方向（第二方向）に対向する両側部から、それぞれ２つの第二
被係合部２３、２３が延設されている。
本実施形態では、第二収容部２２の側部は、左右方向（第二方向）の断面視において湾曲
状の段差部とされ、この段差部の基端側から４つの第二被係合部２３、２３、２３、２３
がそれぞれ延設されている。
また、４つの第二被係合部２３、２３、２３、２３は、第一収容部１２の４つの第一被係
合部１３、１３、１３、１３に対向する位置に配置され、上下方向（第一方向）に所定の
厚みを有し、前後方向（第三方向）に所定の幅を持って、第二収容部２２の上端面と面一
となるように、第二収容部２２と一体成形されている。
【００２０】
一つの第二被係合部２３の具体的な形状について、図４を用いて説明する。なお、他の第
二被係合部２３、２３、２３についても、同様の形状である。
図４に示すように、第二被係合部２３は、左右方向（第二方向）の断面視において、延設
先端側が、第二先端被係合部２４を構成する。第二先端被係合部２４の下面は下方向（第
一方向の他方）に凸となる凸形状とされている。
なお、本実施形態では、左右方向（第二方向）の断面視において、第二先端被係合部２４
の右方向の端面は、成形型の抜きテーパーに対応して、その上端が下端に対して僅かに右
側に位置するテーパー形状とされている。
【００２１】
また、第二収容部２２の側部と第二被係合部２３とを接続する部分が、第二基端被係合部
２５とされる。具体的には、凸形状の第二基端被係合部２５の基部から左方向に略水平に
延設された部分が第二基端被係合部２５を構成する。
なお、第二被係合部２３の上端面は、第二収容部２２の上端面と面一とされ、第一カバー
部材１０が重ね合わされた際の当接面とされる。
【００２２】
また、本実施形態では、第二被係合部２３の上下方向（第一方向）の厚みは、第一カバー
部材１０の第一収容部１２における第一被係合部１３の上下方向（第一方向）の厚みより
も小さくされている。なお、第一被係合部１３と第二被係合部２３の上下方向の厚みは同
一であってもよく、その厚みの大小関係は問わない。
【００２３】
また、第二被係合部２３の前後方向（第三方向）の両端部には、右方向（第二方向の一方
）に突出する一対の第二凸部２６、２６が設けられている。
一対の第二凸部２６、２６は、上下方向（第一方向）に所定の厚みを有し、前後方向（第
三方向）に所定の幅を持って、第二被係合部２３の上端面と面一となるように、第二被係
合部２３と一体成形されている。
なお、本実施形態では、一対の第二凸部２６、２６の上下方向の厚みは、第二被係合部
２３の上下方向の厚みと略同一とされ、右方向の端面は湾曲形状とれている。
【００２４】
クリップ３０は、第一カバー部材１０と、第二カバー部材２０とを固定する硬質部材であ
り、ナイロン樹脂で形成されている。なお、他の樹脂材料や金属材料で形成してもよい。
また、本実施形態では、４つのクリップ３０、３０、３０、３０により、第一カバー部材
１０における４つの第一被係合部１３、１３、１３、１３と、第二カバー部材２０におけ
る４つの第二被係合部２３、２３、２３、２３との重ね合せ箇所がそれぞれ固定されてい
る。
【００２５】
クリップ３０、３０、３０、３０は、図１に示すように、前後方向（第三方向）に一定
の幅を有し、上下方向（第一方向）に延在する板状部材である。
一つのクリップ３０の具体的な形状について、図４を用いて説明する。なお、他のクリ
ップ３０、３０、３０についても、同様の形状である。
図４に示すように、クリップ３０は、遮音カバー１への固定時に、第一カバー部材１０の
第一被係合部１３における第一先端被係合部１４の右方向の端面と、第二カバー部材２０
の第二被係合部２３における第二先端被係合部２４の右方向の端面とに当接して配置され
る基部３１を備える。
【００２６】
また、本実施形態では、基部３１は、左右方向（第二方向）の断面視において、第一カバ
ー部材１０の第一被係合部１３における第一先端被係合部１４の右方向の端面（テーパー
面）及び第二カバー部材２０の第二被係合部２３における第二先端被係合部２４の右方向
の端面（テーパー面）とそれぞれ略平行となるように、くの字形状とされている。なお、
基部３１は、上下方向と略平行に延在する形状としてもよい。
また、第一カバー部材１０の第一被係合部１３及び第二カバー部材２０の第二被係合部２
３の上下方向の厚みに対応して、第一被係合部１３側の基部の長さが、第二被係合部２３
側の基部の長さよりも長くされている。なお、第一カバー部材１０の第一被係合部１３及
び第二カバー部材２０の第二被係合部２３の上下方向の厚みに応じて、調整可能である。
【００２７】
基部３１の上端には、左方向（第二方向の他方）に延在する第一係合部３２が一体成形さ
れている。なお、第一係合部３２は、後述するように、遮音カバー１への固定時に、第一
カバー部材１０の第一被係合部１３と係合される。
同様に、基部３１の下端には、左方向（第二方向の他方）に延在する第二係合部３５が一
体成形されている。なお、第二係合部３５は、後述するように、遮音カバー１への固定時
に、第二カバー部材２０の第二被係合部２４と係合される。
【００２８】
第一係合部３２は、図４に示すように、左右方向（第二方向）の断面視において、基部
３１から延設される基端側が、上方向（第一方向の一方）に凸となる湾曲形状とされてい
る。この湾曲凸状の部分が、第一基端係合片３３を構成する。なお、第一基端係合片３３
は角形状の凸部であってもよい。
【００２９】
また、湾曲凸状の第一基端係合片３３における延設先端側から左方向（第二方向の他方）
に略平行に延在されている部分が、第一先端係合片３４を構成する。
なお、本実施形態では、第一先端係合片３４は、左右方向（第二方向）の断面視において
、その下面が下方向（第一方向の他方）に凸となる凸形状とされている。
【００３０】
第二係合部３５は、図４に示すように、左右方向（第二方向）の断面視において、基部
３１から延設される基端側が、下方向（第一方向の他方）に凸となる湾曲状とされている
。この湾曲凸状の部分が、第二基端係合片３６を構成する。なお、第二基端係合片３５は
角形状の凸部であってもよい。
【００３１】
また、湾曲凸状の第二基端係合片３６における延設先端側から左方向（第二方向の他方）
に略平行に延在されている部分が、第二先端係合片３７を構成する。
なお、本実施形態では、第二先端係合片３７は、左右方向（第二方向）の断面視において
、その上面が上方向（第一方向の一方向）に凸となる凸形状とされている。
【００３２】
以上のように構成された第一カバー部材１０と、第二カバー部材２０と、クリップ３０
とを用いて、被遮音対象であるモーター４０を収容し、第一カバー部材１０と第二カバー
部材２０とをクリップ３０により固定する手順について説明する。
まず、被遮音対象であるモーター４０に対して、上方から第一カバー部材１０を被せて
、第一カバー部材１０の第一収容部１２にモーター４０の略上半部を収容する一方、下方
から第二カバー部材２０を被せて、第二カバー部材２０の第二収容部２２にモーター４０
の略下半部を収容する。この際、第一カバー部材１０の第一収容部１２における周方向の
側部の下端面と、第二カバー部材２０の第二収容部２２における周方向の側部の上端面と
が当接されて、収容空間が閉塞される。
【００３３】
また、第一カバー部材１０の第一被係合部１３、１３、１３、１３の下端面と、第二被係
合部２３、２３、２３、２３の上端面とが当接され、この際、第一カバー部材１０の第一
被係合部１３、１３、１３、１３における第一先端被係合部１４、１４、１４、１４の左
右方向の端面と、第二カバー部材２０の第二被係合部２３、２３、２３、２３における第
二先端被係合部２４、２４、２４、２４の左右方向の端面とが、略面一とさせる。
【００３４】
次に、４つのクリップ３０、３０、３０、３０を、第一カバー部材１０の第一被係合部
１３、１３、１３、１３と、第二カバー部材２０の第二被係合部２３、２３、２３、２３
との４つの重ね合わせ箇所にそれぞれ固定する。
一つのクリップ３０の固定方法について図４を用いて説明する。なお、他のクリップ３０
、３０、３０の固定方法も同様である。
【００３５】
第一カバー部材１０の第一被係合部１３と第二カバー部材２０の第二被係合部２３との
重ね合わせ箇所に対して、クリップ３０を右方向から押し込む。第一カバー部材１０の第
一被係合部１３及び第二カバー部材２０の第二被係合部２３は発泡体で形成されているた
め、押し込んでいくと、クリップ３０の第一係合部３２における第一先端係合片３４及び
第二係合部３５における第二先端係合片３７が、第一カバー部材１０の第一被係合部１３
における第一先端被係合部１４及び第二カバー部材２０の第二被係合部２３における第二
先端被係合部２４を圧縮させながら乗り越える。
【００３６】
この際、クリップ３０の第一係合部３２における第一基端係合片３３及び第二係合部３５
における第二基端係合片３６は、それぞれ、第一カバー部材１０の第一被係合部１３にお
ける第一先端被係合部１４及び第二カバー部材２０の第二被係合部２３における第二先端
被係合部２４に係合される。
【００３７】
また、クリップ３０の第一係合部３２における第一先端係合片３４及び第二係合部３５に
おける第二先端係合片３７により、第一カバー部材１０の第一被係合部１３における第一
基端被係合部１５及び第二カバー部材２０の第二被係合部２３における第二基端被係合部
２５が圧縮された状態で挟持させる。
【００３８】
この際、第一被係合部１３の一対の第一凸部１６、１６と、第二被係合部２３の一対の第
二凸部２６、２６とが、上下方向（第一方向）に連接され、クリップ３０の基部３１は、
連接された一対の凸部間に配置される。
また、本実施形態では、クリップ３０の基部３１の前後方向の幅は、一対の第一凸部１６
、１６及び一対の第二凸部２６、２６の対向間隔と略同一に設定されているため、クリッ
プ３０の基部３１は、連接された一対の凸部と当接した状態で配置される。
なお、クリップ３０の基部３１の前後方向の幅を、一対の第一凸部１６、１６及び一対の
第二凸部２６、２６の対向間隔よりも大きく設定して、第一凸部１６、１６及び一対の第
二凸部２６、２６の間の弾性復元力により、クリップ３０の基部３１を保持させるように
してもよい。
【００３９】
このように構成される被遮音対象に対する遮音カバーの固定構造によれば、被遮音対象で
あるモーター４０に第一カバー部材１０と第二カバー部材２０とを被せ、第一カバー部材
１０の第一被係合部１３と、第二カバー部材２０の第二被係合部２３との重ね合せ箇所に
対してクリップ３０押し込むという簡易な方法で、遮音カバー１を固定することができる
。
【００４０】
クリップ３０の固定状態において、第一カバー部材１０の第一被係合部１３における第一
基端被係合部１５と第二カバー部材２０の第二被係合部２３における第二基端被係合部２
５とが、クリップ３０の第一係合部３２における第一先端係合片３４とクリップ３０の第
二係合部３５における第二先端係合片３７とにより圧縮状態で挟持されている。よって、
第一カバー部材１０の第一被係合部１３における第一基端被係合部１５と第二カバー部材
２０の第二被係合部２３における第二基端被係合部２５とによる弾性復元力により、クリ
ップ３０の第一係合部３２における第一先端係合片３４とクリップ３０の第二係合部３５
における第二先端係合片３７に対して、上下方向の保持力が付与されるため、クリップ３
０に対して、押込み方向とは反対方向の引き抜け力が生じた場合、一定の抵抗力を付与す
ることができる。
【００４１】
また、第一カバー部材１０の第一被係合部１３における第一先端被係合部１４とクリップ
３０の第一係合部３２における第一基端係合片３３とが係合されるため、クリップ３０に
対して、押込み方向とは反対方向の引き抜け力が生じた場合、クリップ３０の第一係合部
３２における第一先端係合片３４における第一基端係合片３３との接続端が、発泡体で形
成される第一カバー部材１０の第一被係合部１３における第一先端被係合部１４の凸状部
の側部を引き抜け力方向に圧縮させるため、クリップ３０の第一係合部３２における第一
先端係合片３４が、第一カバー部材１０の第一被係合部１３における第一先端被係合部１
４を乗り越えて外れることを防止できる。
【００４２】
同様に、第二カバー部材２０の第二被係合部２３における第二先端被係合部２４とクリッ
プ３０の第二係合部２３における第二基端係合片３６とが係合されるため、クリップ３０
に対して、押込み方向とは反対方向の引き抜け力が生じた場合、クリップ３０の第二被係
合部２３における第二先端被係合部２４における第二基端係合片３６との接続端が、発泡
体で形成される第二カバー部材２０の第二被係合部２３における第二先端被係合部２４の
凸状部の側部を引き抜け力方向に圧縮させるため、クリップ３０の第二被係合部２３にお
ける第二先端被係合部２４が、第二カバー部材２０の第二被係合部２３における第二先端
被係合部２４を乗り越えて外れることを防止できる。
【００４３】
さらに、クリップ３０の基部３１は、第一カバー部材１０の一対の第一凸部１６、１６
と第二カバー部材２０の一対の第二凸部２６、２６との間に配置されるため、クリップ３
０に対して前後方向（第三方向）の引き抜け力が生じた場合、クリップ３０の前後方向へ
の移動が制限され、クリップ３０が前後方向に外れることを防止できる。
【００４４】
ここで、本実施形態では、クリップ３０が固定されていない状態では、図４に示すように
、第一カバー部材１０の第一被係合部１３における第一基端被係合部１５の下端（図４の
破線）と第二カバー部材２０の第二被係合部２３における第二基端被係合部２５の上端（
図４の破線）とを結ぶ長さＬ１に対して、クリップ３０の第一係合部３２における第一先
端係合片３４の下端と第二係合部３５における第二先端係合片３７の上端とを結ぶ長さＬ
２が２ｍｍ小さく設定されている。
【００４５】
そのため、クリップ３０が固定された状態においては、第一カバー部材１０の第一被係合
部１３における第一基端被係合部１５と第二カバー部材２０の第二被係合部２３における
第二基端被係合部２５とが、クリップ３０の第一係合部３２における第一先端係合片３４
と第二係合部３５における第二先端係合片３７とにより、それぞれ１ｍｍ程度圧縮された
状態とされ、クリップ３０の保持力、引き抜け抗力が高められている。
【００４６】
なお、クリップ３０の第一係合部３２における第一先端係合片３４の下端と第二係合部３
５における第二先端係合片３７の上端とを結ぶ長さＬ２は、第一カバー部材１０の第一被
係合部１３における第一基端被係合部１５の下端（図４の破線）と第二カバー部材２０の
第二被係合部２３における第二基端被係合部２５の上端（図４の破線）とを結ぶ長さＬ１
に対して、１ｍｍ−６ｍｍ小さく設定すればよい。
本構成により、第一カバー部材１０の第一被係合部１３における第一基端被係合部１５と
第二カバー部材２０の第二被係合部２３における第二基端被係合部２５とが、クリップ３
０の第一係合部３２における第一先端係合片３４と第二係合部３５における第二先端係合
片３７とにより、それぞれ０．５ｍｍ−３ｍｍ程度圧縮された状態とされるため、クリッ
プ３０の保持力、引き抜け抗力が高めることができる。
なお、全体の圧縮量を１ｍｍ以上とすることでクリップ３０の保持力、引き抜け抗力が高
められる一方、６ｍｍ超とするとクリップ３０の装着性が妨げられる。
【００４７】
さらに、本実施形態では、図５に示すように、第一カバー部材１０の第一被係合部１３
における第一先端被係合部１４の凸状１４ａの高さｈ１が２ｍｍに設定されている。
また、前述のとおり、クリップ３０が固定された態においては、第一カバー部材１０の第
一被係合部１３における第一基端被係合部１５は、クリップ３０の第一係合部３２におけ
る第一先端係合片３４により、１ｍｍ程度圧縮（図５のｈ２）されている。
【００４８】
そのため、第一カバー部材１０の第一被係合部１３における第一先端被係合部１４の凸状
１４ａの頂端と、クリップ３０の第一係合部３２における第一先端係合片３４の下端との
高低差は３ｍｍ程度とされ、クリップ３０の保持力、引き抜け抗力が高められている。
なお、第一カバー部材１０の第一被係合部１３の第一先端被係合部１４の凸状１４ａの
高さは、クリップ３０の第一係合部３２における第一先端係合片３４による第一カバー部
材１０の第一被係合部１３における第一基端被係合部１５に対する圧縮量以上（ｈ１≧ｈ
２）に設定すればよい。
【００４９】
同様に、本実施形態では、第二カバー部材２０の第二被係合部２３における第二先端被係
合部２４の凸状２４ａの高さは２ｍｍに設定されている。
また、前述のとおり、クリップ３０が固定された状態においては、第二カバー部材２０の
第二被係合部２３における第二基端被係合部２５は、クリップ３０の第二係合部３５にお
ける第二先端係合片３７により１ｍｍ程度圧縮されている。
【００５０】
そのため、第二カバー部材２０の第二被係合部２３における第二先端被係合部２４の凸状
２４ａの頂端と、クリップ３０の第二係合部３５における第二先端係合片３７の上端との
高低差は３ｍｍ程度とされ、クリップ３０の保持力、引き抜け抗力が高められている。
なお、第二カバー部材２０の第二被係合部２３の第二先端被係合部２４の凸状２４ａの高
さは、クリップ３０の第二係合部３５における第二先端係合片３７による第二カバー部材
２０の第二被係合部２３における第二基端被係合部２５に対する圧縮量以上に設定すれば
よい。
【００５１】
上記の実施形態は、一実施形態に過ぎず、遮音カバーの構造、分割方向、クリップの配
置箇所、クリップの固定数は、被遮音対象の形状に応じて、適宜、変更可能である。
例えば、第一カバー部材１０及び第二カバー部材２０の周方向の一側部を公知のヒンジ部
材による接続や接着などによる固定構造を採用する場合は、第一カバー１０及び第二カバ
ー部材２０の周方向の他の側部に、第一カバー部材１０の第一被係合部１３と第二カバー
部材２０の第二被係合部２３を少なくとも１つ備える構成としてもよい。
【００５２】
また、上記の実施形態では、第一カバー部材１０の第一被係合部１３における第一先端
被係合部１４の上面を凸状にする共に、第二カバー部材２０の第二被係合部２３における
第二先端被係合部２４の下面を凸状としたが、いずれか一方を平面形状としてもよい。
例えば、第二カバー部材２０の第二被係合部２３における第二先端被係合部２４の下面を
第二基端被係合部２５と面一の略水平の平面形状とした場合であっても、クリップ３０に
よる第１カバー部材１０の第一被係合部１３及び第二カバー部材２０の第二被係合部２３
に対する圧縮固定と、クリップ３０の第一被係合部１３と第一カバー部材１０の第一被係
合部１３との係合とにより、クリップ３０の一定の保持力、引き抜け抗力を発揮すること
ができる。
【００５３】
また、上記の実施形態では、クリップ３０の第一係合部３２における第一先端係合片３４
及び第二係合部３５の第二先端係合片３７の対向面をそれぞれ凸状としたが、少なくとも
一方を平面状にしてもよい。
例えば、第二係合部３５における第二先端係合片３７の上面を平面形状した場合であって
も、クリップ３０による第１カバー部材１０の第一被係合部１３及び第二カバー部材２０
の第二被係合部２３に対する圧縮固定と、クリップ３０の第一被係合部１３と第一カバー
部材１０の第一被係合部１３との係合とにより、クリップ３０の一定の保持力及び引き抜
け抗力を発揮することができる。
【００５４】
また、上記の実施形態では、第一カバー部材１０の第一被係合部１３に一対の第一凸部１
６、１６を設けると共に、第二カバー部材２０の第二被係合部２３に一対の第二凸部２６
、２６を設ける構成としたが、第一被係合部１３又は第二被係合部２３の一方にのみ一対
の凸部を設けてもよい。例えば、第一カバー部材１０の第一被係合部１３にのみ一対の第
一凸部１６、１６を設ける場合であっても、クリップ３０の前後方向への移動が制限され
、クリップ３０が前後方向に外れることを防止できる。
【符号の説明】
【００５５】
１・・遮音カバー、１０・・第一カバー部材、２０・・第二カバー部材、３０・・クリ
ップ、４０・・モーター（被遮音対象）、１２・・第一収容部、１３・・第一被係合部、
１４・・第一先端被係合部、１４ａ・・凸状、１５・・第一基端被係合部、１６、１６・
・一対の第一凸部、２２・・第二収容部、２３・・第二被係合部、２４・・第二先端被係
合部、２４ａ・・凸状、２５・・第二基端被係合部、２６、２６・・一対の第二凸部、３
１・・基部、３２・・第一係合部、３３・・第一基端係合片、３４・・第一先端係合片、
３５・・第二係合部、３６・・第二基端係合片、３７・・第二先端係合片
【図１】
0003226820.tif 000003
【図２】
0003226820.tif 000004
【図３】
0003226820.tif 000005
【図４】
0003226820.tif 000006
【図５】
0003226820.tif 000007
【手続補正書】
【提出日】令和2年3月23日(2020.3.23)
【手続補正１】
【補正対象書類名】実用新案登録請求の範囲
【補正対象項目名】請求項８
【補正方法】変更
【補正の内容】
【請求項８】
前記第一カバー部材は、前記第一収容部の前記側部から延設される複数の前記第一被係合部を備え、
前記第二カバー部材は、前記第二収容部の前記側部から延設され、前記第一カバー部材の前記複数の第一被係合部に対向して配置される複数の前記第二被係合部を備え、
複数の前記クリップが、前記第一カバー部材の前記複数の第一被係合部と前記第二カバー部材の前記複数の第二被係合部とが重ね合わさせる箇所にそれぞれ固定されている、請求項１−７の何れか１項に記載の遮音カバーの固定構造。